(57)【要約】【課題】排水管の周囲等の封水室内に髪の毛が堆積して排水トラップの排水性能が低下することを未然に防ぐことができる排水トラップを提供する。【解決手段】本発明の排水トラップ１は、洗面器４の排水口４ａに接続され、この排水口から流出する排水を導く排水管８と、この排水管からの排水の流路を形成すると共に、排水管の出口部８ａを閉塞可能な封水を収容する封水室１０と、封水室に接続され、この封水室から溢れた排水を下水側に導く流出管１４と、洗面器の上方に開口するオーバーフロー口４ｂにから流出する排水を導くように、その出口部１２ａが流出管よりも上流側に位置しているオーバーフロー管１２と、を有し、排水管は、封水室内の排水中に含まれる髪の毛が排水管及びオーバーフロー管に付着したままの状態になることを防止する髪の毛付着防止手段１８を備えていることを特徴としている。【選択図】図４
2011032795.tif 000002
【特許請求の範囲】
【請求項１】
水槽から排水された水を下水側へ流出させる排水トラップであって、
水槽の排水口に接続され、この排水口から流出する排水を導く排水管と、
上記排水管に接続され、この排水管からの排水の流路を形成すると共に、上記排水管の出口部を閉塞可能な封水を収容する封水室と、
上記封水室に接続され、上記封水室から溢れた排水を下水側に導く流出管と、を有し、
上記排水管は、その出口部を形成する流路の外周部が上記流出管に対して反対側方向に突出する流路拡張凸部を備えていることを特徴とする排水トラップ。
【請求項２】
水槽から排水された水を下水側へ流出させる排水トラップであって、
水槽の排水口に接続され、この排水口から流出する排水を導く排水管と、
上記排水管に接続され、この排水管からの排水の流路を形成すると共に、上記排水管の出口部を閉塞可能な封水を収容する封水室と、
上記封水室に接続され、上記封水室から溢れた排水を下水側に導く流出管と、
上記水槽の上方に開口するオーバーフロー口から流出する排水を導くように、その出口部が上記流出管よりも上流側に位置しているオーバーフロー管と、を有し、
上記排水管は、上記封水室内の排水中に含まれる髪の毛が上記排水管及び上記オーバーフロー管に付着したままの状態になることを防止する髪の毛付着防止手段を備えていることを特徴とする排水トラップ。
【請求項３】
上記髪の毛付着防止手段は、上記排水管及び上記オーバーフロー管の少なくともそれぞれの出口部を上記封水室内で連結する連結流路を備えている請求項２記載の排水トラップ。
【請求項４】
上記髪の毛付着防止手段は、上記排水管の出口部を形成する流路の外周部が上記オーバーフロー管に近接するように突出する流路拡張凸部を備えている請求項２記載の排水トラップ。
【請求項５】
上記排水管は、その出口部が上記流出管と上記オーバーフロー管の出口部との間に配置されている請求項２乃至４の何れか１項に記載の排水トラップ。
【発明の詳細な説明】
【技術分野】
【０００１】
本発明は、排水トラップに係わり、特に、洗面台、流しや浴槽等の水槽から排水された水を下水側へ流出させるように水槽の下方に設けられた排水トラップに関する。
【背景技術】
【０００２】
従来、例えば、水槽として用いられる洗面台の洗面器の下方には、キャビネット等、収納部としての収納スペースが設けられ、この収納スペースの一部には、洗面器から排水された水を下水側へ流出させる排水トラップが設けられている。このような従来の排水トラップは、Ｓ字型の配管路を備え、キャビネットの収納スペースのほぼ中央付近に配置されるものが一般的であり、洗面器下の収納スペースに収納物を収納する際にはしばしば障害となり、有効な収納スペースを狭めてしまうという問題があった。
そこで、特許文献１に記載されている従来の排水トラップにおいては、Ｓ字型の排水トラップの代わりに箱型の排水トラップを採用し、洗面台の洗面器下の有効な収納スペースを確保したものが知られている。
【０００３】
また、このような従来の箱型の排水トラップにおいては、洗面器の排水口に接続されている排水管から封水室に排水され、封水室から溢れ出した排水は、封水室の下流側にある流出管に排水されるようになっている。
【先行技術文献】
【特許文献】
【０００４】
【特許文献１】特開平７−７１０６１号公報
【発明の概要】
【発明が解決しようとする課題】
【０００５】
しかしながら、上述した従来の排水トラップにおいては、洗面器の排水口に接続されている排水管の出口部が封水室内の下方に位置している一方、封水室内の排水が流出する流出管の入口部は封水室内の上方に位置している。このため、排水管の出口部から封水室内に流入した排水は、封水室の底面等に一旦衝突して上方に折り返し、排水管の出口部の上方に位置する流出管の入口部に向かって上昇しながら排水管の側面を回り込むような流れを形成する。
また、洗面台の洗面器においては、しばしば洗髪にも利用されるが、洗髪によって洗面器で洗い流された髪の毛が排水口からの排水と共に排水管に流れ込み、排水管の出口部から封水室内に流出する。この排水管の出口部から封水室に流出する排水は、流出管の方向に直接に差し向けられることなく、排水管或いはオーバーフロー管の側面を上昇して回り込もうとする流れを形成するものもある。このような排水の流れによって排水中に含まれる髪の毛が排水管或いはオーバーフロー管の側面等に一旦巻き付いたり、絡み付いたりして付着すると、自然に離脱させることが難しく、この排水管の周囲側面等に付着した髪の毛に排水中の別の髪の毛が次々に付着して堆積してしまうという問題がある。したがって、このように封水室内に堆積した髪の毛によって排水トラップの排水性能が著しく低下してしまうおそれがあるという問題がある。
【０００６】
そこで、本発明は、上述した従来技術の問題を解決するためになされたものであり、排水管の周囲等の封水室内に髪の毛が堆積して排水トラップの排水性能が低下することを未然に防ぐことができる排水トラップを提供することを目的としている。
【課題を解決するための手段】
【０００７】
上記の目的を達成するために、本発明は、水槽から排水された水を下水側へ流出させる排水トラップであって、水槽の排水口に接続され、この排水口から流出する排水を導く排水管と、上記排水管に接続され、この排水管からの排水の流路を形成すると共に、上記排水管の出口部を閉塞可能な封水を収容する封水室と、上記封水室に接続され、上記封水室から溢れた排水を下水側に導く流出管と、を有し、上記排水管は、その出口部を形成する流路の外周部が上記流出管に対して反対側方向に突出する流路拡張凸部を備えていることを特徴としている。
このように構成された本発明においては、従来、排水管の出口部から封水室に流出する排水は、流出管の方向に直接に差し向けられることなく、排水管の出口部の側面を上昇して回り込もうとする流れを形成するものもあり、この流れによって排水中に含まれる髪の毛が排水管の側面等に一旦巻き付いて付着すると、自然に離脱させることが難しいが、本発明では、排水管の出口部を形成する流路の外周部が流出管に対して反対側方向に突出する流路拡張凸部を備えているため、排水管の出口部の流路拡張凸部の流路から封水室に排水が流出する際、排水が流出管の方向に直接に差し向けられることなく、排水管の出口部の流出管に対して反対側の部分を上昇して回り込もうとする流れが形成されても、排水中に含まれる髪の毛が排水管の出口部の流路拡張凸部によって一時的に捕捉される。その後、再び流水の力により、流路拡張凸部に一時的に付着していた髪の毛が離脱して流水に乗せられるため、排水管に巻き付いたり、絡み付いて付着したままに放置されることなく、流出管から下水側へ確実に排出させることができる。したがって、排水管の周囲等の封水室内に髪の毛が堆積して排水トラップの排水性能が低下することを未然に防ぐことができる。
【０００８】
また、本発明は、水槽から排水された水を下水側へ流出させる排水トラップであって、水槽の排水口に接続され、この排水口から流出する排水を導く排水管と、上記排水管に接続され、この排水管からの排水の流路を形成すると共に、上記排水管の出口部を閉塞可能な封水を収容する封水室と、上記封水室に接続され、上記封水室から溢れた排水を下水側に導く流出管と、上記水槽の上方に開口するオーバーフロー口から流出する排水を導くように、その出口部が上記流出管よりも上流側に位置しているオーバーフロー管と、を有し、上記排水管は、上記封水室内の排水中に含まれる髪の毛が上記排水管及び上記オーバーフロー管に付着したままの状態になることを防止する髪の毛付着防止手段を備えている。
このように構成された本発明においては、従来、排水管の出口部から封水室に流出する排水は、流出管の方向に直接に差し向けられることなく、排水管或いはオーバーフロー管の側面を上昇して回り込もうとする流れを形成するものもあり、この流れによって排水中に含まれる髪の毛が排水管或いはオーバーフロー管の側面等に一旦巻き付いて付着すると、自然に離脱させることが難しいが、本発明では、封水室内の排水中に含まれる髪の毛が排水管及びオーバーフロー管に付着したままの状態になることを防止する髪の毛付着防止手段を排水管が備えているため、排水管の出口部から封水室に排水が流出した際、排水管の髪の毛付着防止手段が封水室の排水中に含まれる髪の毛を一時的に捕捉したりすることができると共に、この捕捉された髪の毛は、その後再び流水の力によって離脱して流水に乗せられ、排水管及びオーバーフロー管に巻き付いたり、絡み付いて付着したままに放置されることなく、流出管から下水側へ確実に排出される。したがって、排水管から封水室内に流出した排水中に含まれる髪の毛が排水管やオーバーフロー管自体の側面に巻き付いて付着するのを確実に阻止すると共に、排水管やオーバーフロー管の周囲等の封水室内に髪の毛が堆積して排水トラップの排水性能が低下することを未然に防ぐことができる。
【０００９】
本発明において、好ましくは、上記髪の毛付着防止手段は、上記排水管及び上記オーバーフロー管の少なくともそれぞれの出口部を上記封水室内で連結する連結流路を備えている。
このように構成された本発明においては、髪の毛付着防止手段が排水管及びオーバーフロー管の少なくともそれぞれの出口部を封水室内で連結する連結流路を備えているため、排水管及びオーバーフロー管の少なくともそれぞれの出口部の側面同士の隙間がなくなる。したがって、排水管の出口部から封水室に排水が流出した際、この髪の毛付着防止手段の連結流路を形成する部分が封水室の排水中に含まれる髪の毛を一時的に捕捉したりすることができると共に、この捕捉された髪の毛は、その後再び流水の力によって離脱して流水に乗せられるため、排水管及びオーバーフロー管に巻き付いたり、絡み付いて付着したままに放置されることなく、流出管から下水側へ確実に排出される。これらの結果、排水管から封水室内に流出した排水中に含まれる髪の毛が排水管やオーバーフロー管自体の側面に巻き付いて付着するのを確実に阻止すると共に、排水管やオーバーフロー管の周囲等の封水室内に髪の毛が堆積して排水トラップの排水性能が低下することを未然に防ぐことができる。
【００１０】
本発明において、好ましくは、上記髪の毛付着防止手段は、上記排水管の出口部を形成する流路の外周部が上記オーバーフロー管に近接するように突出する流路拡張凸部を備えている。
このように構成された本発明においては、髪の毛付着防止手段が、排水管の出口部を形成する流路の外周部がオーバーフロー管に近接するように突出する流路拡張凸部を備えており、排水管及びオーバーフロー管の少なくともそれぞれの出口部の側面同士の隙間がほとんどなくなる。したがって、排水管の出口部から封水室に排水が流出した際、たとえ排水が流出管の方向に直接に差し向けられることなく、排水管の流路拡張凸部とオーバーフロー管との間のわずかな隙間を上昇して回り込もうとする流れが形成されても、排水中に含まれる髪の毛が排水管の髪の毛付着防止手段の流路拡張凸部によって一時的に捕捉される。その後、再び流水の力により、流路拡張凸部に一時的に付着していた髪の毛が離脱して流水に乗せられるため、排水管及びオーバーフロー管に巻き付いたり、絡み付いて付着したままに放置されることなく、流出管から下水側へ確実に排出される。これらの結果、排水管やオーバーフロー管の周囲等の封水室内に髪の毛が堆積して排水トラップの排水性能が低下することを未然に防ぐことができる。
【００１１】
本発明において、好ましくは、上記排水管は、その出口部が上記流出管と上記オーバーフロー管の出口部との間に配置されている。
このように構成された本発明においては、排水管の出口部が流出管とオーバーフロー管の出口部との間に配置されているため、排水管の出口部から封水室内に流出した排水が流出管に向かって排水管の周囲を回り込むことができるようなスペースをより広く確保することができる。したがって、排水管の出口部から封水室内に流出させる排水によって排水中に含まれる髪の毛を流水に乗せて、流出管から下水側へ確実に排出させることができる。
【発明の効果】
【００１２】
本発明の排水トラップによれば、排水管の周囲等の封水室内に髪の毛が堆積して排水トラップの排水性能が低下することを未然に防ぐことができる。
【図面の簡単な説明】
【００１３】
【図１】本発明の第１実施形態による排水トラップが内部に組み込まれた洗面台を示す概略斜視図である。
【図２】本発明の第１実施形態による排水トラップが内部に組み込まれた洗面台の側面を一部破断した概略側面図である。
【図３】図２のIII-III線に沿った断面図である。
【図４】本発明の第１実施形態による排水トラップの部分拡大側面断面図である。
【図５】図４のＶ−Ｖ線に沿った断面図である。
【図６】本発明の第２実施形態による排水トラップの部分拡大側面断面図である。
【図７】図６のVII−VII線に沿った断面図である。
【図８】本発明の第３実施形態による排水トラップの図５及び図７と同様な断面図である。
【図９】本発明の第４実施形態による排水トラップが内部に組み込まれた洗面台を示す概略正面図である。
【図１０】本発明の第４実施形態による排水トラップが内部に組み込まれた洗面台を示す概略側面図である。
【図１１】本発明の第４実施形態による排水トラップの部分拡大側面断面図である。
【図１２】図１１のXII−XII線に沿った断面図である。
【発明を実施するための形態】
【００１４】
以下、添付図面を参照して、本発明の第１実施形態による排水トラップについて説明する。
まず、図１は本発明の第１実施形態による排水トラップが内部に組み込まれた洗面台を示す概略斜視図である。つぎに、図２は本発明の第１実施形態による排水トラップが内部に組み込まれた洗面台の側面を一部破断した概略側面図である。また、図３は、図２のIII−III線に沿った断面図である。さらに、図４は本発明の第１実施形態による排水トラップの部分拡大側面断面図である。また、図５は、図４のＶ−Ｖ線に沿った断面図である。また、図４及び図５においては、排水の流れを矢印で示している。
【００１５】
図１〜図５に示すように、本実施形態の排水トラップ１は、水槽として用いられる洗面台２の洗面器４の下方に位置する収納部６内に配置され、この洗面器４から排水された水を下水側へ流出させるものである。
この排水トラップ１は、排水管８、封水室１０、オーバーフロー管１２、及び、流出管１４を備えている。
【００１６】
まず、排水管８は、その入口部である上端部が洗面台２の洗面器４の排水口４ａに接続され、そこから下方に延びて封水室１０の上端部１０ａに接続された後、その出口部８ａが封水室１０の封水面Ｗよりも下方の封水内まで延びており、洗面器４の排水口４ａから流出した排水が排水管８により封水室１０内に導かれるようになっている。すなわち、排水管８は、封水室１０の底部よりも下方に突出することがないように封水室１０に接続されている。
また、排水管８は、封水室１０内の封水によって、排水トラップ１の下流側にある下水配管１６からの臭気を遮断することにより、洗面器４に臭気が立ち上るのを防ぐため、「防臭管」或いは「防臭筒」とも呼ばれている。
【００１７】
つぎに、封水室１０は、図２、図４、及び、図５に示すように、その平面断面が洗面台２の前後方向に細長いほぼ長楕円形状となる箱体の内部に形成され、排水管８の出口部８ａを閉塞可能な封水を収容すると共に、排水管８の出口部８ａからその下流側に位置する流出管１４の上端部である入口部１４ａまで排水の流路を形成している。
【００１８】
つぎに、オーバーフロー管１２は、その入口部が洗面器４のオーバーフロー口４ｂに接続されている。この洗面器４のオーバーフロー口４ｂは、洗面器４の側面に形成され、洗面器４の排水口４ａよりも上方に位置し、洗面器４の上限水位を制限している。
また、オーバーフロー管１２は、その下流側の途中部分が封水室１０の上端部１０ａに接続された後、その出口部１２ａが封水室１０の封水面Ｗよりも下方の封水内まで延びており、洗面器４のオーバーフロー口４ｂから流出した排水がオーバーフロー管１２により封水室１０内に導かれるようになっている。すなわち、オーバーフロー管１２は、封水室１０の底部よりも下方に突出することがないように封水室１０に接続されている。
【００１９】
さらに、排水管８と封水室１０の上端部１０ａとの接続部から排水管８の出口部８ａにかけての流路８ｂ、及び、オーバーフロー管１２と封水室１０の上端部１０ａとの接続部からオーバーフロー管１２の出口部１２ａにかけての流路１２ｂは、互いに連結流路１８によって連結されており、オーバーフロー管１２の出口部１２ａが封水室１０の封水内で排水管８の出口部８ａの後側近傍に位置するようになっている。
【００２０】
ここで、排水管８の流路８ｂとオーバーフロー管１２の流路１２ｂとを連結する連結流路１８を形成する部分は、封水室１０内の排水中に含まれる髪の毛が排水管８及びオーバーフロー管１２の周囲側面に付着したままの状態になることを防止する髪の毛付着防止手段として機能するようになっている。
また、この髪の毛付着防止手段である連結流路１８によって、排水管８の出口部８ａを含む流路８ｂ形成する排水管８の側面の後方側（後面）とオーバーフロー管１２の出口部１２ａを含む流路１２ｂ形成するオーバーフロー管１２の側面の前方側（前面）との間に髪の毛が入り込む隙間がなくなるように設定されている。
さらに、排水管８の前面とこれに対向する封水室１０内の前側の内壁面との間の隙間についても、髪の毛がほとんど入り込むことができない隙間に設定されているか、或いは、隙間なく設定されている。
【００２１】
つぎに、流出管１４は、その上端部である入口部１４ａが封水室１０内に接続され、その下端部１４ｂが封水室１０の下端よりも所定長さ下方に位置している。
また、流出管１４の下端部１４ｂは、下水配管１６に接続されている連結管２０に連結されており、封水室１０から溢れた排水は、流出管１４から連結管２０を経て下水配管１６に導かれるようになっている。
【００２２】
さらに、流出管１４は、封水室１０の後端側（図４及び図５に示す封水室１０の右側端部に相当する部分）に上下方向に延びるように配置され、その上端部である入口部１４ａの高さ位置から封水室１０の下端位置とほぼ等しい高さ位置にかけての流路１４ｃの断面が封水室１０内のオーバーフロー管１２の外周の一部を取り囲むようにほぼ三日月形状となっている。
【００２３】
また、流出管１４は、その流路１４ｃの三日月形状の断面積が、排水管８の流路８ｂの断面積よりも小さく、流出管１４における封水室１０の下端位置とほぼ等しい高さ位置から下端部１４ｂの高さ位置にかけての流路１４ｄの断面積よりも小さく設定されている。すなわち、流出管１４は、その流路の少なくとも一部が絞られるように形成された流路１４ｃ（流路絞り部）を備えている。
【００２４】
つぎに、特に図４及び図５を参照しながら、上述した本発明の第１実施形態による排水トラップの作用について説明する。
まず、洗面台２の洗面器４において洗髪によって洗い流された髪の毛を含む排水は、洗面器４の排水口４ａから排水管８に排水され、排水管８の出口部８ａから封水室１０内に流出する。
つぎに、この洗面器４の排水口４ａから排水管８に流出した髪の毛を含む排水は、排水管８の出口部８ａから封水室１０に流出する。
【００２５】
また、この封水室１０に流出した排水管８の出口部８ａの近傍における髪の毛を含む排水は、封水室１０内の底壁や側壁に衝突して折り返し、封水室１０内において排水管８の出口部８ａ、連結流路１８、及び、オーバーフロー管１２の出口部１２ａの外側を回り込みながら、流出管１４の上端部である入口部１４ａに向かって所定方向（例えば、上方）への流れを形成する。
この際、排水管８の流路８ｂとオーバーフロー管１２の流路１２ｂとを連結する連結流路１８を形成する部分によって、排水管８の後面とオーバーフロー管１２の前面との間に髪の毛が入り込む隙間がないため、排水中に含まれている髪の毛は、排水管８及びオーバーフロー管１２の周囲側面に巻き付いたり、絡み付いたりして付着することなく流水に乗せられ、排水と共に流出管１４に排出され、連結管２０を経て下水配管１６に排出される。
一方、封水室１０内の排水中に含まれている髪の毛は、連結流路１８の下端部分等において一時的に捕捉されたりすることもあるが、その後再び流水の力によって離脱して流水に乗せられ、排水管８及びオーバーフロー管１２に巻き付いたり、絡み付いて付着したままに放置されることなく、流出管１４から下水側へ確実に排出される。
【００２６】
上述した本発明の第１実施形態による排水トラップ１によれば、排水管８の流路８ｂとオーバーフロー管１２の流路１２ｂとを連結する連結流路１８を形成する部分が髪の毛付着防止手段として機能するため、封水室１０内の排水中に含まれている髪の毛が排水管８及びオーバーフロー管１２に巻き付いたり、絡み付いて付着したままに放置されることを確実に阻止し、流出管１４から下水側へ確実に排出することができる。したがって、排水管８やオーバーフロー管１２の周囲等の封水室１０内に髪の毛が堆積して排水トラップ１の排水性能が低下することを未然に防ぐことができる。
【００２７】
つぎに、図６及び図７を参照して、本発明の第２実施形態による排水トラップについて説明する。
図６は、本発明の第２実施形態による排水トラップの部分拡大側面断面図であり、図７は、図６のVII−VII線に沿った断面図である。ここで、図６及び図７において、図１〜図５に示す本発明の第１実施形態による排水トラップの部分と同一の部分については同一の符号を付し、これらの説明は省略する。
【００２８】
図６及び図７に示すように、本発明の第２実施形態による排水トラップ３０においては、第１実施形態の排水トラップ１の連結流路１８に代わる髪の毛付着防止手段として、排水管８が流路拡張凸部３２を備えている点で、第１実施形態の排水トラップ１とは異なった構成となっている。
この髪の毛付着防止手段である排水管８の流路拡張凸部３２は、その内部及び出口部を形成する流路３２ａがその上流側から下流側に向かって、すなわち、封水室１０の上端部１０ａに近接した流路拡張凸部３２の上端部３２ｂから下端部（出口部）３２ｃに向かって拡張すると共に、排水管８の後方側に並列且つ独立に配置されているオーバーフロー管１２に近接するように後方側へ突出している。
なお、流路拡張凸部３２の流路３２ａにおける上流側から下流側に向かって拡張している部分の断面については、流路拡張凸部３２の上端部３２ｂから下端部３２ｃに排水が誘導され、下端部３２ｃから排出できるように形成されていれば、上流側から下流側に一律の大きさでもよい。
また、排水管８の流路拡張凸部３２の後面と、これに対向するオーバーフロー管１２の前面との間は、髪の毛がほとんど入り込むことができない隙間に設定されている。
【００２９】
上述した本発明の第２実施形態による排水トラップ３０においては、排水管８が髪の毛付着防止手段である流路拡張凸部３２を備えており、互いに対向する排水管８の後面とオーバーフロー管１２の前面との隙間が髪の毛がほとんど入り込むことができない隙間に設定されているため、排水管８の出口部８ａ及び流路拡張凸部３２の下端部（出口部）３２ｃから封水室１０に排水が流出した際、たとえ排水が流出管１４の入口部１４ａの方向に直接に差し向けられることなく、封水室１０内の底壁や側壁に衝突して折り返し、排水管８の流路拡張凸部３２とオーバーフロー管との間のわずかな隙間を上昇して回り込もうとする流れが形成されても、排水中に含まれる髪の毛は、排水管８の髪の毛付着防止手段である流路拡張凸部３２によって一時的に捕捉されるか、そのまま流水に乗せられて流出管１４に排出される。
また、髪の毛が流路拡張凸部３２によって一時的に捕捉されたとしても、その後、再び流水の力により、流路拡張凸部３２に一時的に付着していた髪の毛が離脱して流水に乗せられるため、排水管８及びオーバーフロー管１２に巻き付いたり、絡み付いて付着したままに放置されることなく、流出管１４から下水側へ確実に排出される。これらの結果、排水管８やオーバーフロー管１２の周囲等の封水室１０内に髪の毛が堆積して排水トラップ３０の排水性能が低下することを未然に防ぐことができる。
【００３０】
つぎに、図８を参照して、本発明の第３実施形態による排水トラップについて説明する。
図８は、本発明の第３実施形態による排水トラップの図５及び図７と同様な断面図である。ここで、図８において、上述した本発明の第１実施形態及び第２実施形態による排水トラップの部分と同一の部分については同一の符号を付し、これらの説明は省略する。
【００３１】
図８に示すように、本発明の第３実施形態による排水トラップ４０においては、第２実施形態の排水トラップ３０の封水室１０内における排水管８とオーバーフロー管１２の配置を前後方向に入れ替えた配置となっている。すなわち、本発明の第３実施形態による排水トラップ４０は、排水管８の出口部８ａが流出管１４とオーバーフロー管１２の出口部１２ａとの間に配置されている点で、第１実施形態及び第２実施形態の排水トラップ１，３０とは異なった構成となっている。
【００３２】
上述した本発明の第３実施形態による排水トラップ４０においては、排水管８の出口部８ａが流出管１４とオーバーフロー管１２の出口部１２ａとの間に配置されているため、第１実施形態及び第２実施形態の排水トラップ１，３０に比べて、排水管８の出口部８ａから封水室１０内に流出した排水が流出管１４に向かって排水管８の流路拡張凸部３２の周囲を回り込むことができるようなスペースを広く確保することができる。したがって、排水管８の出口部８ａ及び流路拡張凸部３２の下端部（出口部）３２ｃから封水室１０内に流出させる排水によって、排水中に含まれる髪の毛を流水に乗せて、流出管１４から下水側へ確実に排出させることができる。
【００３３】
なお、上述した本発明の第３実施形態による排水トラップ４０においては、一例として、オーバーフロー管１２と排水管８が前後方向に並列且つ独立に配置されると共に、排水管８が髪の毛付着防止手段として流路拡張凸部３２を備えた形態について説明したが、このような形態に限定されず、第１実施形態の排水トラップ１の連結流路１８のような髪の毛付着防止手段によって、排水管８とオーバーフロー管１２の少なくともそれぞれの出口部８ａ，１２ａを連結するようにしてもよい。
【００３４】
つぎに、図９〜図１２を参照して、本発明の第４実施形態による排水トラップについて説明する。
まず、図９は、本発明の第４実施形態による排水トラップが内部に組み込まれた洗面台を示す概略正面図である。つぎに、図１０は、本発明の第４実施形態による排水トラップが内部に組み込まれた洗面台を示す概略側面図である。また、図１１は、本発明の第４実施形態による排水トラップの部分拡大側面断面図である。さらに、図１２は、図１１のXII−XII線に沿った断面図である。ここで、図９〜図１２において、上述した本発明の第１実施形態〜第３実施形態による排水トラップの部分と同一の部分については同一の符号を付し、これらの説明は省略する。
【００３５】
図９〜図１２に示すように、本発明の第４実施形態による排水トラップ５０においては、オーバーフロー管１２の出口部１２ｂが、排水時の排水トラップ５０の流路において封水室１０と同様に比較的内圧が高い領域となっている排水管８と封水室１０の上端部１０ａとの接続部５２に接続されている。
【００３６】
また、図１１及び図１２に示すように、本実施形態の排水トラップ５０の排水管８は、第２実施形態の排水トラップ３０と同様に、髪の毛付着防止手段として、流路拡張凸部５４を備えている。
この排水管８の流路拡張凸部５４は、その内部及び出口部を形成する流路５４ａがその上流側から下流側に向かって、すなわち、封水室１０の上端部１０ａに近接した流路拡張凸部５４の上端部５４ｂから下端部（出口部）５４ｃに向かって拡張すると共に、その外周部が封水室１０の前側内壁面に近接するように排水管８の前面から前方側方向（流出管５６に対して反対側方向）に突出しており、排水管８の流路拡張凸部５４の前面と、これに対向する封水室１０の前側内壁面との間は、髪の毛がほとんど入り込むことができない隙間に設定されている。
なお、流路拡張凸部５４の流路５４ａにおける上流側から下流側に向かって拡張している部分の断面については、流路拡張凸部５４の上端部５４ｂから下端部５４ｃに排水が誘導され、下端部５４ｃから排出できるように形成されていれば、上流側から下流側に一律の大きさでもよい。
【００３７】
さらに、流出管５６は、封水室１０の後端側に上下方向に延びるように配置され、その上端部である入口部５６ａの高さ位置から封水室１０の下端位置よりも下方にかけての流路５６ｂの断面がほぼ円形形状となっている。
【００３８】
上述した本発明の第４実施形態による排水トラップ５０においては、排水管８が髪の毛付着防止手段である流路拡張凸部５４を備えており、互いに対向する排水管８の前面と封水室１０の前側内壁面との隙間が髪の毛がほとんど入り込むことができない隙間に設定されているため、排水管８の出口部８ａ及び流路拡張凸部５４の下端部（出口部）５４ｃから封水室１０に排水が流出した際、たとえ排水が流出管５６の入口部５６ａの方向に直接に差し向けられることなく、封水室１０内の底壁や側壁に衝突して折り返し、排水管８の流路拡張凸部５４と封水室１０の前側内壁面との間のわずかな隙間を上昇して回り込もうとする流れが形成されても、排水中に含まれる髪の毛は、排水管８の髪の毛付着防止手段である流路拡張凸部５４によって一時的に捕捉されるか、そのまま流水に乗せられて流出管１４に排出される。
【００３９】
また、髪の毛が流路拡張凸部５４によって一時的に捕捉されたとしても、その後、再び流水の力により、流路拡張凸部５４に一時的に付着していた髪の毛が離脱して流水に乗せられるため、排水管８に巻き付いたり、絡み付いて付着したままに放置されることなく、流出管５６の流路５６ｂから下水側へ確実に排出される。これらの結果、排水管８の周囲等の封水室１０内に髪の毛が堆積して排水トラップ５０の排水性能が低下することを未然に防ぐことができる。
【００４０】
なお、上述した本発明の第４実施形態による排水トラップ５０においては、一例として、オーバーフロー管１２の出口部１２ｂが、排水時の排水トラップ５０の流路において封水室１０と同様に比較的内圧が高い領域となっている排水管８と封水室１０の上端部１０ａとの接続部５２に接続されている形態について説明したが、このような形態に限定されず、他の形態についても適用可能である。
例えば、他の形態による排水トラップとして、オーバーフロー管１２の出口部１２ｂの接続位置については、排水管８における排水時の内圧が比較的高い領域であれば、接続部５４よりもさらに上方に位置する排水管８の途中位置に設けてもよい。
また、本発明の第４実施形態による排水トラップ５０について、洗面器にオーバーフロー口が設けられていない洗面台に適用する場合には、オーバーフロー管１２自体を省略してもよい。
【００４１】
なお、上述した本発明の第１〜第４実施形態による排水トラップにおいては、水槽として用いられる洗面台に排水トラップを適用した例について説明したが、このような例に限定されず、洗面台以外の流しや浴槽等の水槽にも同様に適用することができる。
【符号の説明】
【００４２】
１，３０，４０，５０  排水トラップ
２  洗面台
４  洗面器
４ａ  排水口
４ｂ  オーバーフロー口
６  収納部
８  排水管
８ａ  排水管の出口部
１０  封水室
１０ａ  封水室の上端部
１２  オーバーフロー管
１２ａ  オーバーフロー管の出口部
１２ｂ  流路
１４，５６  流出管
１４ａ  流出管の入口部
１４ｂ  流出管の下端部
１４ｃ  流路
１４ｄ  流路
１６  下水配管
１８  連結流路（髪の毛付着防止手段）
２０  連結管
３２，５４  流路拡張凸部（髪の毛付着防止手段）
３２ａ，５４ａ  流路拡張凸部の流路
３２ｂ，５４ｂ  流路拡張凸部の上端部
３２ｃ，５４ｃ  流路拡張凸部の下端部（出口部）
Ｗ    封水面
【図１】
2011032795.tif 000003
【図２】
2011032795.tif 000004
【図３】
2011032795.tif 000005
【図４】
2011032795.tif 000006
【図５】
2011032795.tif 000007
【図６】
2011032795.tif 000008
【図７】
2011032795.tif 000009
【図８】
2011032795.tif 000010
【図９】
2011032795.tif 000011
【図１０】
2011032795.tif 000012
【図１１】
2011032795.tif 000013
【図１２】
2011032795.tif 000014